(57)【特許請求の範囲】
【請求項１】
取付台にボルト留めされる部品であってボルトが外された後にもこの取付台に固着したままの部品をこの取付台から引き離す工具であって、
この部品は前記ボルトが貫通するボルト貫通孔を備え、このボルト貫通孔の前後両端に座繰りを有し、
前記取付台は前記ボルトの先端がねじ結合するねじ穴を有し、
前記工具は、
前端にフックを備えたシャフトと、
前記シャフトへその軸に沿ってスライド自在に保持された芯出しリングと、
前記芯出しリングよりも後方で前記シャフトへその軸に沿ってスライド自在に保持され、シャフトの径方向での大きさが前記座繰りよりも大きく形成された抑え具と、
前記抑え具よりも後方で前記シャフトに保持されてこのシャフトの軸方向に沿って移動自在の位置決めガイドと、
前記位置決めガイドよりも後方で前記シャフトへその軸に沿ってスライド自在に保持されたハンマーと
を備え、
前記フックは前記シャフトの前端から半径方向外方に突出して、前記シャフトの先端が前記部品の前記ボルト貫通孔に挿入された時に、前記フックが前記ボルト貫通孔の奥側の座繰り内に収められるように形成され、
前記位置決めガイドは前記シャフトの外周に切られたねじにねじ結合され、前記フックが前記座繰りの底面に引っ掛けられた時に、前記抑え具を前記部品の前面に押しつける位置に前方へ移動させた位置決めガイドにより保持することで、前記フックとこの抑え具とで前記部品を挟み込むように構成され、
前記シャフトの後端には前記ハンマーを受け止めるストッパが形成され、前記ハンマーを前記シャフトの軸に沿って後方へスライドさせて前記ストッパに衝突させたときに生じる打撃力が、前記フックに作用して前記部品を前記取付台から引き離す力を生じさせるものであり、
前記芯出しリングは前記シャフトの軸に沿ってスライドして前記ボルト貫通孔の手前側の座繰り内に移動すると共にこの芯出しリングがこの座繰りの内周に接することによって、前記シャフトを前記ボルト貫通孔内の中心付近に位置決めして、前記フックが前記ボルト貫通孔の奥側の前記座繰りの底面に引っ掛かるようになった
ことを特徴とするボルト留め部品の取り外し工具。
【請求項２】
前記抑え具が、前記部品の前面の形状に合致する
ことを特徴とする請求項１に記載のボルト留め部品の取り外し工具。
【請求項３】
前記フックは前記ボルト貫通孔よりもやや小径の円形の外形を有し、前記シャフトの軸に対して偏心した
ことを特徴とする請求項１または２に記載のボルト留め部品の取り外し工具。
【請求項４】
前記芯出しリングは前記ボルト貫通孔の内径よりも大きな外径を有し、前記座繰り内へ収められる多角形の外形を有する
ことを特徴とする請求項１から３の何れかに記載のボルト留め部品の取り外し工具。
【請求項５】
前記シャフトは、ねじを有する第１シャフトと、この第１シャフトに着脱自在の第２シャフトで構成され、
前記第１シャフトに前記フック、前記芯出しリング、前記抑え具、前記位置決めガイドが保持され、
前記第２シャフトに前記ハンマーと前記ストッパとが保持され、
前記第２シャフトの一端に固定された継ぎ手と前記ストッパとの間で前記ハンマーが第２シャフトの軸に沿ってスライド自在となり、
前記継ぎ手に前記第１シャフトの後端がねじ結合される
ことを特徴とする請求項１から請求項４の何れかに記載のボルト留め部品の取り外し工具。
【発明の詳細な説明】
【技術分野】
【０００１】
本発明は、ボルト留め部品の取り外し工具、更に詳しくは、ボルトを外した後にも取付台に強固に固着したままのボルト留め部品を取付台から引き離すために使用する工具に関する。
【背景技術】
【０００２】
特許文献１は、ボルトを外した後にも、取付台に固着したボルト留め部品を引き抜く工具を開示している。この工具は、部品を取付台に固定するボルトとは別のねじ付きシャフトと、このシャフトにねじ結合するテーパ部材と、このシャフトに保持された押圧部材とで構成されている。押圧部材の先端は、半径方向に移動可能な拡径部となり、拡径部の内側にテーパ部材が収められ、シャフトの軸に沿ってテーパ部部材を移動させることで、拡径部をボルトが外された後の部品のボルト通孔の内周壁に密接させることで、ねじ付きシャフトを部品と一体化させる。その後、ねじ付きシャフトを回転させてその先端を取付台のボルト固定穴の底に押しつけることで、部品を取付台から引き離すようになっている。従って、部品を取付台から取りはずした後も、部品のボルト通孔の内周に押圧部材が圧接しており、ねじ付きシャフトが押圧部材と共に、部品にねじ結合で一体化されている。このため、別の部品を取り外す場合は、その都度、部品に圧接している押圧部材を外すために、テーパ部材とねじ付きシャフトとのねじ結合を解く必要があり、複数の部品を連続して取りはずす上での効率が低いという問題がある。
【０００３】
特許文献２は、取付台に固定されている軸受けを取り外す軸受抜き工具を開示している。この軸受抜工具も、ねじ付きシャフトにテーパ部材がねじ結合され、テーパ部材がこのシャフトの軸に沿って移動することで押圧部材を軸受けの内周に圧接させて、ねじ付きシャフトを軸受けと一体化させ、このシャフトを取付台から引き離すことで、軸受けを取付台から取りはずす構造である。
【０００４】
特許文献１、２で開示する工具は、いずれも、部品の内周に工具の一部、すなわち、押圧部材を圧接させることで、部品と工具を一体化させており、部品と工具との結合力の殆どは圧接力に依存している。このため、圧接させる力が弱いと、取付台に強固に付着した部品を取り除くことが困難になる虞がある。逆に、圧接力を強くするためには、テーパ部材と押圧部材との結合力を高めるために、シャフトに対するテーパ部材のねじ締め力を強くすることが必要となる。この結果、部品から工具を取り除く力も高くなり、複数の部品を連続して取り外すには苦労を要する。
【先行技術文献】
【特許文献】
【０００５】
【特許文献１】特開２００３-２８５２７８号公報
【特許文献２】特開２０００-１３５６８６号公報
【発明の概要】
【発明が解決しようとする課題】
【０００６】
本発明は、上記の問題点を解消するためになされたものであり、その目的とするところは、ボルトを外した後にも取付台に固着しているボルト留め部品を、容易な作業で簡単に取り外すことができるボルト留め部品の取り外し工具を提供することである。
【課題を解決するための手段】
【０００７】
本発明のボルト留め部品の取り外し工具は、取付台５０にボルト留めされる部品６０であってボルト７０が外された後にもこの取付台５０に固着したままの部品６０をこの取付台５０から引き離す工具であって、この部品６０は前記ボルト７０が貫通するボルト貫通孔６２を備え、このボルト貫通孔６２の前後両端に座繰り６４を有し、前記取付台５０は前記ボルト７０の先端がねじ結合するねじ穴５４を有する。
【０００８】
前記の取り外し工具は、前端にフック１４を備えたシャフト１０と、前記シャフト１０へその軸に沿ってスライド自在に保持された芯出しリング１８と、前記芯出しリング１８よりも後方で前記シャフト１０へその軸に沿ってスライド自在に結合された抑え具１６と、前記抑え具１６よりも後方で前記シャフト１０に保持されてこのシャフト１０の軸方向に沿って移動自在の位置決めガイド２０と、前記位置決めガイド２０よりも後方で前記シャフト１０へその軸に沿ってスライド自在に保持されたハンマー２４とを備える。
【０００９】
前記フック１４は前記シャフト１０の前端から半径方向外方に突出して、前記シャフト１０の先端が前記部品６０の前記ボルト貫通孔６２に挿入された時に、前記フック１４が前記ボルト貫通孔６２の奥側の座繰り６４内に収められるように形成される。
【００１０】
前記位置決めガイド２０は前記シャフト１０へねじ結合され、前記フック１４が前記座繰り６４の底面に引っ掛けられた時に、前記抑え具１６を前記部品６０の前面に押しつける位置に保持されることで、前記フック１４とこの抑え具１６とで前記部品６０を挟み込むように構成される。
【００１１】
前記シャフト１０の後端には前記ハンマー２４を受け止めるストッパ２６が形成され、前記ハンマー２４を前記ストッパ２６に撃ち付ける打撃力が、前記フック１４に作用して前記部品６０を前記取付台５０から引き離す力を生じさせる。
【００１２】
前記芯出しリング１８は前記ボルト貫通孔６２の手前側の座繰り６４内に移動した時に、前記シャフト１０を前記ボルト貫通孔６２内の中心位置に位置決めして、前記フック１４を前記ボルト貫通孔６２の奥側の前記座繰り６４の底面に引っ掛けるように機能する。
【００１３】
このため、ハンマー２４のストッパ２６への衝突による打撃力が、部品６０の引き離し方向に沿ってダイレクトに前記フック１４から部品６０へ伝達されることで、取付台５０に強固に固着した部品６０を容易に取り外すことができる。
【００１４】
また、抑え具１６とフック１４との間で部品６０を挟み込むことにより、フック１４と部品６０との間に遊びを残すことなく確実にフック１４を部品６０に結合できて、より確実に打撃力を部品６０に伝達できる。
【００１５】
更には、芯出しリング１８の採用により、前記シャフト１０を前記ボルト貫通孔６２内の中心付近に位置決めすることで、フック１４をボルト貫通孔６２の奥側の座繰り６４底面に確実に引っ掛けることができる。すなわち、フック１４はボルト貫通孔６２を通過できる寸法であるにも係わらず、芯出しリング１８によってボルト貫通孔６２の座繰り６４の底面にフック１４が確実に引っ掛かる位置に保持でき、部品６０との結合が簡単且つ確実にでき、多くの部品６０を短時間で取りはずすのに最適である。
【００１６】
前記抑え具１６が、前記部品６０の前面の形状に合致することが好ましい。これにより、部品６０の前面との密着性が向上し、前記フック１４と前記抑え具１６との間での前記部品６０の保持力が高まり、部品６０の引き抜きをより一層確実に行うことができる。
【００１７】
前記フック１４は前記ボルト貫通孔６２よりもやや小径の円形の外形を有し、前記シャフト１０の軸に対して偏心していることが好ましい。これにより、ボルト貫通孔６２を通して奥側の座繰り６４まで容易に送り込むことができながら、座繰り６４との結合を確実にすることができる。
【００１８】
また、前記芯出しリング１８は前記ボルト貫通孔６２の内径よりも大きな外径を有し、前記座繰り６４内へ収められる多角形の外形を有することも好ましい。部品６０によっては、ボルト貫通孔６２の前方に位置して前記の芯出しリング１８が収められる座繰り６４の周縁の一部が、部品６０の使用中に外力を受けて変形を来すことがあるが、そのような場合でも、この変形部分を避ける形で芯出しリング１８を座繰り６４内に移動させることができる。
【００１９】
前記シャフト１０は、ねじを有する第１シャフト１１と、この第１シャフト１１に着脱自在の第２シャフト１２で構成されることが好ましい。この場合、前記第１シャフト１１に前記フック１４、前記芯出しリング１８、前記抑え具１６、前記位置決めガイド２０が保持され、前記第２シャフト１２に前記ハンマー２４と前記ストッパ２６とが保持される。前記第２シャフト１２の一端に固定された継ぎ手２２と前記ストッパ２６との間で前記ハンマー２４が第２シャフト１２の軸に沿ってスライド自在となり、前記継ぎ手２２に前記第１シャフト１１の後端がねじ結合されることで、第１シャフト１１と第２シャフト１２が結合される。この構成を採用することで、部品６０をフック１４と抑え具１６とで保持する作業時には、重量があるハンマー２４を保持する第２シャフト１２を第１シャフト１１から離しておくことができ、第１シャフト１１と部品６０との結合を、ハンマー２４の重量に煩わされることなく、楽に行うことができる。
【発明の効果】
【００２０】
本発明に係るボルト留め部品の取り外し工具は、ハンマー２４のストッパ２６への衝突による打撃力を、部品６０の引き抜き方向に沿ってダイレクトに部品６０へ作用させることができ、取付台５０に強固に固着した部品６０を容易に取り外すことができる。
【図面の簡単な説明】
【００２１】
【図１】本発明の一実施形態に係るボルト留め部品の取り外し工具を示す斜視図。
【図２】同上の取り外し工具の使用対象である刃物部品とこれが固定される取付台を示す概略図。
【図３】同上の刃物部品が取付台へ固定された状態を示す断面図。
【図４】同上の取り外し工具の分解斜視図。
【図５】同上の取り外し工具の第１シャフトを部品に取り付けた状態を示す説明図。
【図６】同上の取り外し工具の芯出しリングの機能を示す説明図。
【図７】同上の取り外し工具に部品を固定保持した状態を示す説明図。
【図８】同上の取り外し工具の第１シャフトに第２シャフトを取り付けた状態を示す説明図。
【図９】同上の取り外し工具で部品を取付台から引き抜いた直後を示す説明図。
【図１０】同上の取り外し工具の第１シャフトから第２シャフトを取りはずした状態を示す説明図。
【図１１】同上の取り外し工具から部品を引き離す過程を示す説明図。
【図１２】同上の取り外し工具から部品を引き離した直後の状態を示す説明図。
【図１３】同上の取り外し工具における芯出しリングの機能を示す説明図。
【図１４】同上の取り外し工具に使用される芯出しリングを示し、（ａ）（ｂ）はそれぞれ変更態様を示す説明図。
【発明を実施するための形態】
【００２２】
本発明の一実施形態に係るボルト留め部品の取り外し工具について、添付図面に基づいて説明する。
【００２３】
本実施形態では、金属製品などの産業廃棄物である対象物を所定の粒度に破砕する破砕機に使用される刃物部品を取り外す工具を開示する。図２及び図３に示すように破砕機用の刃物部品６０は、回転ドラムである取付台５０に形成された凹所５２へ一部を収めた形で嵌め込まれ、ボルト７０で固定されている。そして回転ドラムである取付台５０の回転によって所定の軌跡上を移動する刃物部品６０と破砕機本体側に設けられた固定刃との間で、対象物を破砕する。刃物部品６０は消耗品であるため取り替えが求められるが、破砕機の性質上、刃物部品６０には繰り返し大きな応力が加わることで、ボルト７０を外した後にも、刃物部品６０が取付台５０の凹所５２内に強固に固着していることが多いことから、本発明の取り外し工具が使用される。刃物部品６０を固定するボルト７０にはキャップボルトが使用され、刃物部品６０の前後に貫通するボルト貫通孔６２の両端は座繰り穴６４とされ、ボルト７０の先端が取付台５０のねじ穴５４に締め付けられて、刃物部品６０が取付台５０に固定される。
【００２４】
取り外し工具はステンレス鋼の部材を組み合わせて構成される。図１に示すように、取り外し工具は、前端にフック１４を備えたシャフト１０と、このシャフト１０の軸に沿ってスライド自在に保持された抑え具１６と、抑え具１６よりも後端側でシャフト１０に保持されてこのシャフト１０の軸方向に沿って移動自在の位置決めガイド２０と、位置決めガイド２０よりも後端側でシャフト１０へその軸に沿ってスライド自在に保持されたハンマー２４を備える。シャフト１０の後端にはハンマー２４を受け止めるストッパ２６が固定されている。シャフト１０には、位置決めガイド２０とハンマー２４との間で、継ぎ手２２が設けられる。シャフト１０は、図４に示すように、外周にねじが切られた第１シャフト１１と、筒状の継ぎ手２２が前端に固定された第２シャフト１２とで構成され、第１シャフト１１の後端が継ぎ手２２の内周の雌ねじにねじ結合することで、第１シャフト１１と第２シャフト１２とが取り外し可能に結合してシャフト１０を構成する。第１シャフト１１にはフック１４、芯出しリング１８、抑え具１６、位置決めガイド２０が備えられる。第２シャフト１２は継ぎ手２２、ハンマー２４、ストッパ２６が保持される。
【００２５】
位置決めガイド２０は第１シャフト１１にねじ結合して第１シャフト１１の軸に沿って移動自在とされ、抑え具１６及び芯出しリング１８はフック１４と位置決めガイド２０との間で第１シャフト１１の軸に沿ってスライド自在に保持される。
【００２６】
フック１４は部品６０のボルト貫通孔６２を通過できる略円形の外形を示し、第１シャフト１１の前端へ偏心した形で結合して、第１シャフト１１の前端から半径方向外方に突出する。芯出しリング１８は、ボルト貫通孔６２には嵌まらないが座繰り６４内に収められる外径を有する。抑え具１６の部品６０と対向する面は、部品６０の前面形状に適合する凹面になっている。
【００２７】
取り外し工具を使用して刃物部品６０を取付台５０から引き外す手順を、図５〜図１２を参照して、説明する。図５に示すように、ボルト７０を抜き去った後にも取付台５０の凹所５２に固着している部品６０を引き離す手順の最初は、第１シャフト１１を第２シャフト１２から切り離した状態で、ボルト貫通孔６２に第１シャフト１１を差し込み、フック１４をボルト貫通孔６２の奥側の座繰り６４迄到達させる。この状態で、フック１４はボルト貫通孔６２の奥側の座繰り６４の底面へ確実に止まっていない。
【００２８】
次に、図６に示すように、芯出しリング１８を前方へスライドさせてボルト貫通孔６２の前側の座繰り６４内に進めることで、第１シャフト１１をボルト貫通孔６２内の軸中心近くに位置決めする。これに伴って、フック１４が確実にボルト貫通孔６２の奥側の座繰り６４の底面に引っ掛けられる。
【００２９】
この後は、図７に示すように、位置決めガイド２０を回転させることにょって前方へ移動させ、抑え具１６を部品６０の前面に押し付ける位置に保持することで、同図に示すように、抑え具１６とフック１４との間で部品６０を挟持する形で部品６０に第１シャフト１１が固定される。
【００３０】
次に、図８に示すように、第１シャフト１１に継ぎ手２２を介して第２シャフト１２を結合してシャフト１０を一体化する。この後にハンマー２４を後方へスライドさせてストッパ２６へ強く押し当てて衝撃を加えると、この際に生じる打撃力がシャフト１０を介してフック１４に作用し、フック１４を強い力で後方へ移動させる力が働く。この結果、フック１４に引っ掛けられている部品６０に取付台５０の凹所５２から引きはがす大きな力が作用し、図９に示すように取付台５０の凹所５２から部品６０が引き抜かれる。
【００３１】
上記のようにして部品６０を取付台５０の凹所５２から引き抜いた後は、図１０に示すように、第２シャフト１２を第１シャフト１１から切り離し、ハンマー２４の重さを排除してから、図１１に示すように位置決めガイド２０を回して後方へ移動させて緩め、抑え具１６および芯出しリング１８をスライドさせて部品６０から遠ざける。これにより、フック１４と座繰り６４との結合が解かれ、フック１４をボルト貫通孔６２から引き抜くことで、図１２に示すように、部品６０から完全に、第１シャフト１１すなわち取り外し工具が切り離される。
【００３２】
上述した一連の動作により、ボルト７０を外した後にも取付台５０へ固着している部品６０を、素早く確実に、取付台５０から取り除くことができる。
【００３３】
本実施形態において、芯出しリング１８は四角形の外形とされている。本実施形態の取り外し工具が適用される刃物部品６０は、粉砕機で使用中に変形をもたらすような外力を受けることがあり、特に、座繰り６４周縁の露出部分が変形を受けて、図１３に示すように、座繰り６４の周縁の一部に膨れ６７が生じることがある。このような場合であっても、円形の座繰り６４の周縁に対して芯出しリング１８の外形を多角形としているため、膨れ６７を避けて芯出しリング１８を座繰り６４の中に進めることができ、フック１４を部品６０の奥側の座繰り６４底面へ確実に引っ掛けることができる。
【００３４】
芯出しリングとしては、この他、図１４（ａ）（ｂ）に示すように、六角形状の芯出しリング１８Ａや三角形状の芯出しリング１８Ｂが使用可能である。
【００３５】
尚、本実施形態では、ボルト留め部品の取り外し工具の一使用例として、刃物部品６０を回転ドラムのような取付台５０から取り外すことを説明したが、本発明のボルト留め部品の取り外し工具は、このような使用に特定されるものではなく、フック１４と抑え具１６との間で挟持される種々の部品６０へハンマー２４による打撃力を作用させてこれらの部品６０を取付台５０から引き離すことに使用できる。
【００３６】
また抑え具１６は、対象となる部品の形状に応じてこれへの密着力を高める形状とされるものである。本実施形態においては、取付台５０の凹所５２から突出する部品６０の前端が三角形であるのに合わせて、三角形状の凹部を抑え具１６の前面に形成しているものであり、この形状に限定されるものではない。
【符号の説明】
【００３７】
１０  シャフト
１１  第１シャフト
１２  第２シャフト
１４  フック
１６  抑え具
１８  芯出しリング
２０  位置決めガイド
２２  継ぎ手
２４  ハンマー
２６  ストッパ
５０  取付台
５４  ねじ穴
６０  部品
６２  ボルト貫通孔
６４  座繰り
７０  ボルト
【図１】
0006886162.tif 000002
【図２】
0006886162.tif 000003
【図３】
0006886162.tif 000004
【図４】
0006886162.tif 000005
【図５】
0006886162.tif 000006
【図６】
0006886162.tif 000007
【図７】
0006886162.tif 000008
【図８】
0006886162.tif 000009
【図９】
0006886162.tif 000010
【図１０】
0006886162.tif 000011
【図１１】
0006886162.tif 000012
【図１２】
0006886162.tif 000013
【図１３】
0006886162.tif 000014
【図１４】
0006886162.tif 000015